(57)【要約】【課題】  不慣れな操作者が誤ってシステムの設定を変更しないように、重要な設定に対してアクセス制限を設けた画像撮影装置を提供する。【解決手段】  操作者がＸ線撮影装置に入力する操作を、アクセス制御データベース手段を参照する、アクセス制御手段を経由してシステムデータベース手段へアクセスするように構成する。また、前記アクセス制御データベースから取得した操作に対して、アクセス制限があることを操作者に示すための表示手段を備える。【選択図】        図５
2005021573.tif 000002
【特許請求の範囲】
【請求項１】
Ｘ線撮影装置であって、予めアクセス制限する機能を設定する手段を有し、アクセス制限した操作に対して操作者にパスワードを要求し、権限のある操作者だけに設定を許可することを特徴とする画像撮影装置。
【請求項２】
複数のアクセス権限を有し、操作者が入力したパスワードによりアクセス権限を判断する比較手段と、決定したアクセス権限によりアクセス制御方法を自動的に切り替えることを特徴とする請求項１に記載の画像撮影装置。
【請求項３】
前記アクセス制御方法とは、検査終了検知手段を有し、検査終了と共にアクセス制限を自動リセットすることを特徴とする請求項２に記載の画像撮影装置。
【請求項４】
前記アクセス制御方法とは、設定画面から撮影画面に戻る時に、アクセス制限を自動リセットすることを特徴とする請求項２に記載の画像撮影装置。
【請求項５】
前記アクセス制御方法とは、アクセス権限を自動リセットしない権限を有することを特徴とする請求項２に記載の画像撮影装置。
【請求項６】
前記アクセス制限をかけている設定に対して、該制限状態をアイコンもしくは色で表示し、
操作者に知らせる表示手段を有することを特徴とする請求項１に記載の画像撮影装置。
【請求項７】
前記アクセス制限をかけている設定に対して、該制限の解除状態をアイコンもしくは色で表示する表示手段を有し、操作者にアクセス制限が解除されていることを知らせる制御手段を有することを特徴とする請求項６に記載の画像撮影装置。
【請求項８】
前記パスワードの認証に失敗した時に、データベースの変更を禁止、あるいは閲覧だけに制限することを特徴とする請求項１に記載の画像撮影装置。
【請求項９】
撮影装置のアクセス制御方法であって、
パスワードによりデータベースへのアクセスを制限する工程と、該入力されたパスワードによりアクセス制御方法を切り替える制御工程と、該アクセス制御状態を表示する工程とを有することを特徴とするＸ線撮影装置の設定管理方法。
【請求項１０】
前記アクセス制御状態を自動リセットする制御工程を有することを特徴とする請求項９に記載の設定管理方法。
【請求項１１】
撮影装置のアクセス制御プログラムであって、
撮影データベースへのアクセス制限を実行するために、アクセス制御データベースを介して該撮影データベースにアクセスするステップと、該入力されたパスワードによりアクセス制御方法を切り替える制御ステップと、該アクセス状態を表示するステップとをコンピュータに実行させることを特徴とする画像撮影装置のデータ管理プログラム。
【請求項１２】
前記アクセス制御ステップで、システムの使用状態に応じてアクセス制限状態を自動リセットする制御ステップを有することを特徴とする請求項１１に記載の画像撮影装置のデータ管理プログラム。
【発明の詳細な説明】
【技術分野】
【０００１】
本発明は、固体撮像装置を用いたデジタルＸ線撮影システムに関するものであり、撮影装置において機器の設定を変更する場合に操作者に対してアクセス制限するデータ管理方法及びデータ管理プログラムに関する。
【背景技術】
【０００２】
従来から医用診断を目的としたＸ線撮影には、増感紙とＸ線写真フィルムを組み合わせたフィルムスクリーンシステムが広く用いられている。Ｘ線撮影されたフィルム画像は、シャウカステンに掛けて観察し、診断部位の観察しやすい濃度域１．０〜１．５Ｄ程度のコントラストをたてるようにフィルムが設計されている。しかし、撮影条件がずれると露光オーバーや露光アンダーになりやすく、診断に悪影響を及ぼす。
【０００３】
近年、Ｘ線の強度に比例した電気信号に変換するＦＰＤ（Ｆｌａｔ  Ｐａｎｅｌ  Ｄｅｔｅｃｔｏｒ）を採用したＸ線デジタル撮影装置が使用され始めている。この撮影装置においては、画像処理技術によって画像の特徴を抽出するため、従来問題であった露光調整の問題を解決できる。また、画像強調等の画像処理で診断能を向上させる機能も備えている。
【０００４】
また従来、Ｘ線撮影システムの使用にあたって操作者を特定するため、ログイン、ログアウトをしないと操作できないようにした装置がある（例えば、特許文献１参照。）が、複数の操作者で交代しながら使用する場合に煩わしく、ログインしたまま運用してしまうため、現実的ではなかった。これを解消するため、一定時間使用していないと自動ログアウトするような発明もなされているが、多くの撮影を実行するＸ線撮影装置では、効果がない。
【特許文献１】特開２００２−１５３５６８号公報（第３−４頁）
【発明の開示】
【発明が解決しようとする課題】
【０００５】
医師からオーダーされた撮影オーダーは、前記撮影装置を使用してＸ線画像として医師のところへ戻され診断に使用されるが、不慣れな操作者が誤ってＸ線撮影装置の画像処理条件を変更し保存すると、前述したような自動露光調整や画像処理条件が変化するため、撮影が成功していても以降の撮影画像が診断に不適切な画像として出力され、診断に多大な影響を与える場合があった。また、フィルムに出力する場合には、フィルムを廃棄することにつながり、修正にかかる時間およびフィルム代の損失が発生する。本発明に係るＸ線撮影装置では、画像あるいはシステムの動作に影響を与える撮影条件や設定に対してアクセス制限を設け、正しい権限をもった操作者だけが必要な時だけ設定変更を可能とするよう制御する機能を備えたＸ線撮影装置を提供することを目的とする。
【０００６】
また一方で、毎回パスワードを入力するのは煩わしいので、アクセス権を記憶しておき、ルーチン業務の操作を妨げないようにするＸ線撮影装置を提供することを目的とする。
【課題を解決するための手段】
【０００７】
１：上記課題を解決するために、本発明の画像撮影装置は、予めアクセス制限する機能を設定する手段と、アクセス制限した操作に対してパスワードを入力させる手段とを有し、権限をもつ操作者にだけ設定変更を許可するようにしている。
【０００８】
２：本発明の画像撮影装置は、複数のアクセス権限を有し、操作者が入力したパスワードによりアクセス権限を判断する比較手段と、決定したアクセス権限によりアクセス制御方法を自動的に切り替えるようにしている。
【０００９】
３：本発明の画像撮影装置は、検査終了検知手段を有し、検査終了と共にアクセス制限を自動リセットするようにしている。
【００１０】
４：本発明の画像撮影装置は、設定画面から撮影画面に戻る時に、アクセス制限を自動リセットするようにしている。
【００１１】
５：本発明の画像撮影装置は、入力したパスワードによっては、アクセス権限を自動リセットしない権限を有するようにしている。
【００１２】
６：本発明の画像撮影装置は、前記アクセス制限をかけている設定に対して、該制限状態をアイコンもしくは色で表示し、操作者に知らせる表示手段を有するようにしている。
【００１３】
７：本発明の画像撮影装置は、前記アクセス制限をかけている設定に対して、該制限の解除状態をアイコン色で表示する表示手段を有し、操作者にアクセス制限が解除されていることを知らせる制御手段を有するようにしている。
【００１４】
８：本発明の画像撮影装置は、パスワードの認証に失敗した時に、データベースの変更を禁止、あるいは閲覧だけに制限するようにしている。
【００１５】
９：上記課題を解決するために、本発明の撮影装置のアクセス制御方法は、パスワードによりデータベースへのアクセスを制限する工程と、該入力されたパスワードによりアクセス制御方法を切り替える制御工程と、該アクセス制御状態を表示する工程とを有するようにしている。
【００１６】
１０：本発明の撮影装置のアクセス制御方法は、アクセス制御状態を自動リセットする制御工程を有するようにしている。
【００１７】
１１：上記課題を解決するために、本発明の撮影装置のアクセス制御プログラムは、撮影データベースへのアクセス制限を実行するため、アクセス制御データベースを介して該撮影データベースにアクセスするステップと、該入力されたパスワードによりアクセス制御方法を切り替える制御ステップと、該アクセス状態を表示するステップとをコンピュータに実行させるようにしている。
【００１８】
１２：本発明の撮影装置のアクセス制御プログラムは、アクセス制御ステップにおいて、システムの使用状態に応じてアクセス制限状態を自動リセットする制御ステップを有するようにしている。
【００１９】
以上、本発明を整理して要約すれば以下の構成に集約できる。
【００２０】
（１）Ｘ線撮影装置であって、予めアクセス制限する機能を設定する手段を有し、アクセス制限した操作に対して操作者にパスワードを要求し、権限のある操作者だけに設定を許可することを特徴とする画像撮影装置。
【００２１】
（２）複数のアクセス権限を有し、操作者が入力したパスワードによりアクセス権限を判断する比較手段と、決定したアクセス権限によりアクセス制御方法を自動的に切り替えることを特徴とする前記（１）に記載の画像撮影装置。
【００２２】
（３）前記アクセス制御方法とは、検査終了検知手段を有し、検査終了と共にアクセス制限を自動リセットすることを特徴とする前記（２）に記載の画像撮影装置。
【００２３】
（４）前記アクセス制御方法とは、設定画面から撮影画面に戻る時に、アクセス制限を自動リセットすることを特徴とする前記（２）に記載の画像撮影装置。
【００２４】
（５）前記アクセス制御方法とは、アクセス権限を自動リセットしない権限を有することを特徴とする前記（２）に記載の画像撮影装置。
【００２５】
（６）前記アクセス制限をかけている設定に対して、該制限状態をアイコンもしくは色で表示し、
操作者に知らせる表示手段を有することを特徴とする前記（１）に記載の画像撮影装置。
【００２６】
（７）前記アクセス制限をかけている設定に対して、該制限の解除状態をアイコンもしくは色で表示する表示手段を有し、操作者にアクセス制限が解除されていることを知らせる制御手段を有することを特徴とする前記（６）に記載の画像撮影装置。
【００２７】
（８）前記パスワードの認証に失敗した時に、データベースの変更を禁止、あるいは閲覧だけに制限することを特徴とする前記（１）に記載の画像撮影装置。
【００２８】
（９）撮影装置のアクセス制御方法であって、
パスワードによりデータベースへのアクセスを制限する工程と、該入力されたパスワードによりアクセス制御方法を切り替える制御工程と、該アクセス制御状態を表示する工程とを有することを特徴とするＸ線撮影装置の設定管理方法。
【００２９】
（１０）前記アクセス制御状態を自動リセットする制御工程を有することを特徴とする前記（９）に記載の設定管理方法。
【００３０】
（１１）撮影装置のアクセス制御プログラムであって、
撮影データベースへのアクセス制限を実行するために、アクセス制御データベースを介して該撮影データベースにアクセスするステップと、該入力されたパスワードによりアクセス制御方法を切り替える制御ステップと、該アクセス状態を表示するステップとをコンピュータに実行させることを特徴とする画像撮影装置のデータ管理プログラム。
【００３１】
（１２）前記アクセス制御ステップで、システムの使用状態に応じてアクセス制限状態を自動リセットする制御ステップを有することを特徴とする前記（１１）に記載の画像撮影装置のデータ管理プログラム。
【発明の効果】
【００３２】
以上説明したように本発明によれば、病院でのワークフローに影響を与えずに、データベースへのアクセス権限の無い操作者がＸ線撮影システムの設定を変更しようとした時にだけ、パスワードを確認し、変更を防ぐことができる。またアクセス権限のある操作者が、システム設定を変更しようとしたときにもパスワード入力を促すため、重要な設定変更をしているという注意を促すことができる。
【００３３】
さらにアクセス権限のある通常の操作者が一検査を終了する時、本発明の制御方法によって自動的に設定中のアクセス権限の状態を解除するので、管理者がアクセス制限を解除し忘れ、他のアクセス権限のない操作者が設定変更してしまうことを防止できる。
【００３４】
また、サービスマン権限のパスワードを入力している場合は、アクセス権限の自動解除をせず、設定を続行できる。
【発明を実施するための最良の形態】
【００３５】
次に、本発明の実施例を説明する。
【実施例１】
【００３６】
図１は、本発明の実施形態に係る、デジタルＸ線画像撮影装置のシステム構成を示すブロック図である。医療用デジタルＸ線撮影装置４は、蛍光体および大画面光電変換装置を備えたＦＰＤ１と、Ｘ線発生装置制御部２３との曝射の同期を行い、画像を蓄積する画像読取制御部３、ＣＰＵ１０、制御プログラムを格納するＲＡＭ１１、撮影画像を蓄えるハードディスク１２、ディスクインターフェース（Ｉ／Ｆ）１３、操作者とのユーザＩ／Ｆ１６、外部装置との通信用ＬＡＮ  Ｉ／Ｆ１５で構成される。
【００３７】
１０はＸ線撮影装置４において、本発明に係る制御プログラムを実行するホストＣＰＵ、１１は本発明に係る制御プログラムが記憶されるＲＡＭであり、制御プログラム６はハードディスク１２から読み込み、ＲＡＭ１１上でＣＰＵ１０により動作させる。７はＲＡＭ１１上に確保した撮影画像を一時格納するためのＲＡＭである。
【００３８】
ＦＰＤ１と画像読取制御部３とは、電源、画像転送および制御信号用のデータ線２を介して接続されている。１２は、ホストＣＰＵ１０で動作する本発明のプログラムを格納するハードディスクである。またさらに、撮影に必要となる補正情報や、撮影済み画像を一時的に蓄える役割も兼ねる。１４は、Ｘ線撮影装置の内部バス、１５はＬＡＮ  Ｉ／Ｆで撮影オーダーを外部のオーダリング装置２２から受信したり、撮影済みの画像を診断に供するために外部機器であるプリンタ２０やＰＡＣＳ２１に送信するために使用する。
【００３９】
１６はユーザＩ／Ｆ部で、表示用ディスプレイ装置１７、およびキーボード、マウス等の入力機器１８でＸ線撮影装置の操作者とのインターフェースを行う。もちろん、表示および入力部の１７，１８はタッチパネル装置でも代替可能である。
【００４０】
まず、Ｘ線画像撮影装置４のＣＰＵ１０は、放射線科情報システム（ＲＩＳ）からのオーダリング情報をＬＡＮ１９上のオーダー装置２２から受信する。本実施形態では、受信したオーダリング情報の一覧をユーザＩ／Ｆ部１６からディスプレイ１７に図２のように表示する。Ｘ線撮影装置の操作者である放射線技師が、３０に表示される検査を入力装置１８で選択すると、ＣＰＵ１０が実行する制御プログラム６は、ディスプレイ１７に表示する画面を変化させ、詳細の撮影オーダー情報を表示する。
【００４１】
図３は、本発明の実施形態におけるディスプレイ部１７の表示例を示す図である。
【００４２】
ＣＰＵ１０は、３０で選択された患者を操作者に提示するため、３４に患者情報、例えば患者ＩＤ、氏名、生年月日等を表示する。また、３１にオーダー装置２２から受信した撮影部位で構成される撮影オーダーを表示する。
【００４３】
３２は、前述の撮影部位を表すボタンが記憶している撮影条件である。３５は、撮影装置の状態を表示するのに使用する。
【００４４】
前記ボタンは個別の撮影方法に適した画像処理パラメータや撮影条件をハードディスク１２内のデータベース（ＤＢ）に記憶している。本発明のプログラムにより、ボタンを押すことによりＤＢから読み出し、制御プログラムＲＡＭ６に格納し撮影に使用する。
【００４５】
ＣＰＵ１０は撮影作業に入り、３１に示すオーダリング情報１番目の撮影部位である「胸部正面」ボタンを選択状態にする。操作者は、撮影する患者をＦＰＤ１とＸ線管球２４との間に配置し、撮影姿勢に整位する。その間にシステム制御プログラム６によりＣＰＵ１０はＦＰＤ１に電圧を加え、ＦＰＤでＸ線撮影が行えるように準備する。制御プログラム６は、ＦＰＤ１がＸ線撮影可能な状態になるのを検知すると、３５をＲＥＡＤＹと表示する。
【００４６】
操作者は画面を確認後、曝射スイッチ２５を押し、Ｘ線を発生させるトリガをシステムに入力する。この曝射スイッチ２５より発生する曝射信号は、同期信号線５を介して画像読取制御部３へ入力される。画像読取制御部３では、ＦＰＤ１が撮影可能状態となっているかを制御信号２の状態で確認した後、曝射許可信号を５で発生させる。曝射許可信号５は、Ｘ線発生装置制御部２３へ戻され、Ｘ線発生装置制御部２３はＸ線管球２４からＸ線を発生させる。
【００４７】
Ｘ線照射後、本システムは患者を透過したＸ線を蛍光体を介してＦＰＤ１でデジタルデータとして取得し、画像読取部３へ転送する。次にＣＰＵ１０は、制御プログラム６を実行し、ユーザＩ／Ｆ部１６の画面を図４のように変化させる。
【００４８】
ＣＰＵ１０は画像読取制御部３から取得した画像データを４０に表示し、撮影実施情報として、Ｘ線発生条件をユーザＩ／Ｆ１６上の４１に表示するとともに、ハードディスク１２に記憶する。
【００４９】
４２には、濃度調整パラメータの例を示す。ＣＰＵ１０が実行する制御プログラム６により、画像解析を行い、画像の濃度を自動的に解析する。もし、４０に表示される画像の自動濃度調整に問題がある場合、操作者はパラメータ４２を調節することで撮影画像の濃度を変更できる。
【００５０】
操作者は図４に示す画面で撮影済み画像の確認を終えると、次の撮影を行うために、画面上の「次撮影」ボタン４３を押して、図３に示す画面へ戻る。ユーザＩ／Ｆ部１６では、オーダーされた次の撮影部位を選択し、撮影オーダーすべてが完了するまで、操作者に前述と同様の撮影フローを繰り返し実行させる。
【００５１】
撮影オーダーがすべて完了すると次の撮影が存在しないので、ＣＰＵ１０は４３に示すボタンを「検査終了」に変化させる。操作者がボタン４３を押す事でその患者の検査を終了することができる。
【００５２】
以上のように、操作者である技師は、医師が出したオーダリング情報に従って被験者の画像を撮影する。デジタルＸ線撮影装置は、医師がオーダーした撮影部位のＸ線画像を正確にかつ、迅速に取得する撮影装置である。
【００５３】
操作者が前記パラメータ４２で画像処理パラメータを変更後、画像のチェックを行い、今後も変更したパラメータを使用したいと判断した場合、パラメータ保存ボタン４５を押し、システムデータベースに保存指示を出す。ここで、保存ボタン４５は本発明のプログラムにより、通常のボタンとは異なるアイコンを持って表示している。例えば、アクセス制限があるという意味の黄色の鍵アイコンを付加したボタンとして表現し、操作者にプロテクト状態であることを示す。
【００５４】
操作者がこのボタンを押した場合、システムはアクセス制限のかかったデータにアクセスしようとしているので、制御プログラムによりパスワード入力を促す。
【００５５】
操作者が正確なパスワードを入力した後は、本発明のプログラムによって前記の黄色で表示した鍵アイコンを、解除されたことを示す青色の鍵アイコンに表示を変化させる。これは、パスワードを正しく入力したことにより、アクセス制限が解除されたことを操作者に示す一例であって、もちろん鍵アイコンを消すことや、他の表現方法でも構わない。その後、ボタン本来の持つ操作、この例の場合は保存操作を実行する。
【００５６】
操作者がパスワードを知らない場合、本プログラムで提供するパスワード画面によって操作を拒否し、保存操作を実行しない。この仕組みにより、操作者に対してアクセス制限をかけ、システムの安全性を保障する。
【００５７】
検査が終了すると、制御プログラム６はハードディスク１２に記憶した撮影条件、撮影実施情報を、オーダリング装置２２へ送信する。制御プログラム６は、予め決められた通信プロトコルに従い、オーダリング装置２２へ検査の撮影が終了したことを伝える。この際、撮影が行われた撮影条件と、照射線量等の撮影実施情報を伝える。
【００５８】
また撮影済み画像は、前述の撮影条件や撮影実施情報を付帯情報とした画像データをＤＩＣＯＭと呼ばれる医療用の標準通信プロトコルに従って、外部装置へまとめて出力し、該画像は医師によって診断に使用される。
【００５９】
検査が終了すると、技師は撮影済みの画像を確認するため、Ｘ線撮影装置を離れて画像表示装置で診断画像の確認作業を行ったり、出力したフィルムの出来を確認し、医師に届けるフィルム袋に入れる作業を行う。その間、別の技師が前記Ｘ線撮影装置を使用することがある。その場合、アクセス制限が解除されたままになっていると、アクセス権限のない操作者によって、誤って設定を変更してしまう可能性がある。
【００６０】
そこで、検査終了と共に、ＣＰＵ１０はデータベースのＸ線撮影装置のアクセス制限が解除されていた状態をリセットし、自動的にプロテクト状態に遷移させる。
【００６１】
また、設定画面でパスワード入力を要求されてＤＢに保存した後、設定画面から撮影画面に移動する場合、リセットし忘れると、一般の操作者が撮影画面でパラメータを保存することができる。そこで、撮影モードに入る時に、パスワード入力状態を自動解除するように、ＣＰＵ１０がプログラムを実行し、プロテクト状態に戻す。
【実施例２】
【００６２】
図５では、操作者が保存操作を指示した時に、ＣＰＵ１０が行う本発明のプログラムのアクセス制御手順を示す。
【００６３】
アクセス制御ＤＢ５３には、機能別にパスワードの付加を設定できるようにし、Ｘ線撮影システム起動時にアクセスＤＢ５３から読み出し、ソフトウェアで構成する画面上に一般のボタンと区別したプロテクト状態を示すアイコンとして表示させる。アクセス制御手段５１で現在の状態を判断してその後のパスワード入力処理を続行するので、操作者がＸ線撮影装置の操作時にシステムの状態を意識しなくても使用できるようにしている。アクセス制御ＤＢ５３へのアクセスは、ＣＰＵ１０が実行する制御プログラム、あるいはＤＢの機能により、さらに別のアクセス制限をかけていることは言うまでもない。
【００６４】
操作者がパラメータ保存ボタン４５を押すと、アクセス制御手段５１は、アクセス制御ＤＢ５３からアクセス状態を取得し、Ｘ線撮影システムのＤＢアクセスがプロテクト状態であることを検知する。それから、パスワード入力画面を表示装置１７上に表示する。操作者が正しいパスワードを入力すると、保存操作を許可し、システム設定ＤＢ５２へ保存を行う。しかし、操作者がパスワードを知らない場合、ＣＰＵ１０が実行する制御プログラムで構成するアクセス制御手段５１で拒否をし、操作は５５へ進まず、５６へ戻される。
【００６５】
一度でもアクセス状態がプロテクト状態から解除されると、再度パスワードを入力することは操作者にとって煩わしい作業になるので、アクセス制御手段５１ではパスワードの解除状態を保持する。しかし、操作者が撮影後にＸ線撮影装置を離れる場合、該Ｘ線撮影装置を継続使用する別の操作者が、知らずにパスワード入力することなく、変更操作をしてしまう可能性を排除しなければならない。
【００６６】
そこで、検査終了の操作をアクセス制御手段５１に通知することで、アクセス制御ＤＢ５３をリセットし、プロテクト状態に戻す。
【００６７】
また、設定変更の場合、同様に鍵アイコンでアクセス制限のあることを示し、操作者が正しいパスワードを入れた場合は変更画面に入り変更操作を許可するが、パスワードを知らない場合は、変更操作を許可せず、設定の閲覧だけを許可するようにプログラムで制御する。
【００６８】
さらに、サービスマンがＸ線撮影装置のメンテナンス作業をする場合、作業中にパスワードの入力を要求されると作業効率が悪くなる。そこで、パスワード入力要求時にサービスマン用のパスワードを入力すると、アクセス制御手段５１はサービスマンが作業している特権状態であることを検出し、パスワードの自動リセット機能を停止させる。つまり、管理者が使用するパスワードと、サービスマンが使用するパスワードの少なくとも２つのパスワードをアクセス制御ＤＢ５３に記憶しておき、パスワード入力に応じてアクセス権限を切り替える。その後、検査終了や、システム設定等、Ｘ線撮影装置の使用状態の変化に応じてアクセス権限を制御するようにしている。
【００６９】
次に図６のフローチャートを用いて、アクセス制限のある機能を使用した場合のパスワード入力処理について説明する。アクセス制御ＤＢには、アクセス制限のある機能設定と、再入力を許可するかどうかという設定と、操作者パスワード情報とを格納してある。
【００７０】
ステップＳ１００でＣＰＵ１０がアクセス制御ＤＢ５３に問い合わせ、現在のアクセス状態を取得する。ステップＳ１０１でプロテクト状態だった場合、ステップＳ１０２に進み、パスワード入力の画面を表示し、操作者に入力を促す。ステップＳ１０３でＣＰＵ１０が、入力されたパスワードをアクセス制御ＤＢ５３のパスワード情報と比較し、入力が有効かどうかをステップＳ１０４で判断する。ステップＳ１０４で入力値が正しい場合、ステップＳ１０５でアクセス制限を解除し、アクセス制限処理を終了する。
【００７１】
ステップＳ１０１でプロテクト解除状態の場合、アクセス権限のある操作者が使用していると判断し、アクセス制限処理を終了する。
【００７２】
また、ステップＳ１０４で入力されたパスワードが正しくない場合、ステップＳ１０６に進み、再入力を必要とする機能かどうかを判断する。再入力が必要な場合、ステップＳ１０２へ進み、操作者に再入力を促す。ステップＳ１０６で再入力が必要でない機能の場合、ステップＳ１０７へ進み、アクセス制御ＤＢ５３を読み込みに設定し、終了する。この場合、パラメータＤＢの変更を許可せず、閲覧だけを許可する。また、ステップＳ１０２でパスワードを入力せずにキャンセルした場合、ステップＳ１０４から終了処理に抜ける。
【００７３】
上記実施形態においては、制御プログラムをＨＤに記憶しＲＡＭへ転送し、ＣＰＵで実行する場合について説明したが、これに限定されるものではなく、任意の記憶媒体を用いて実現してもよい。また、同様の動作をする回路で実現してもよい。
【００７４】
なお、本発明は、複数の機器から構成されるシステムに適用しても、１つの機器からなる装置に適用してもよい。前述した実施形態の機能を実現するソフトウェアのプログラムコードを記録した記録媒体を、システム或いは装置に供給し、そのシステム或いは装置のコンピュータ（またはＣＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【００７５】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７６】
また、コンピュータが読み出したプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も含まれることは言うまでもない。
【００７７】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００７８】
なお本発明は、前述した実施形態の機能を実現するソフトウェアのプログラムコードを記録した記憶媒体から、そのプログラムをインターネット等の通信ラインを介して要求者にそのプログラムを配信する場合にも適用可能である。
【図面の簡単な説明】
【００７９】
【図１】本発明の実施形態におけるＸ線画像撮影装置の構成を示すブロック図
【図２】表示部の撮影オーダー一覧表示例を示す図
【図３】表示部の撮影画面例を示す図
【図４】表示部の撮影後の状態を示す図
【図５】ＤＢアクセスの制御方法を示す概念図
【図６】ＤＢアクセス制御方法を示すフローチャート
【符号の説明】
【００８０】
１  ＦＰＤ
２  制御信号線
３  画像読取制御部
４  Ｘ線撮影装置
５  曝射制御信号線
６  制御プログラムＲＡＭ
７  画像格納用ＲＡＭ
１０  ＣＰＵ
１１  ＲＡＭ
１２  ハードディスク
１３  ディスクＩ／Ｆ
１５  ＬＡＮ  Ｉ／Ｆ
１６  ユーザＩ／Ｆ
１７  表示装置
１８  入力装置
１９  ＬＡＮ
２０  医療用プリンタ
２１  ＰＡＣＳ
２２  オーダリング装置
２３  Ｘ線発生装置制御部
２４  Ｘ線管球
２５  曝射スイッチ
３１  オーダー表示部
３２  撮影条件表示部
３４  患者情報表示部
３５  メッセージ表示部
３６  撮影終了指示ボタン
４０  撮影画像表示部
４１  撮影実施情報表示部
４２  画像処理パラメータ
４３  次撮影指示ボタン
４５  パラメータ保存ボタン
【図１】
2005021573.tif 000003
【図２】
2005021573.tif 000004
【図３】
2005021573.tif 000005
【図４】
2005021573.tif 000006
【図５】
2005021573.tif 000007
【図６】
2005021573.tif 000008